(57)【要約】【課題】駆動装置のスイッチの誤作動を防止する。【解決手段】直列に接続された上アーム側半導体スイッチおよび下アーム側半導体スイッチを駆動する駆動装置であって、第１の態様のトランス部品と、トランス部品における第１の二次側外部端子群および第２の二次側外部端子群の一方から電力を受け取って、上アーム側半導体スイッチを駆動する上アーム側駆動回路と、トランス部品における第１の二次側外部端子群および第２の二次側外部端子群の他方から電力を受け取って、下アーム側半導体スイッチを駆動する下アーム側駆動回路とを備える駆動装置が提供される。【選択図】図２
2018181920.tif 000002
【特許請求の範囲】
【請求項１】
トランスを搭載する筐体と、
前記トランスの一次巻線に電気的に接続される一次側外部端子群と、
前記トランスの第１の二次巻線に接続される第１の二次側外部端子群と、
前記トランスの第２の二次巻線に接続される第２の二次側外部端子群と、
を備え、
前記第２の二次側外部端子群は、前記第１の二次側外部端子群に対し、端子からの配線の引出方向が同方向とならない配列で配置される
トランス部品。
【請求項２】
前記第１の二次側外部端子群における複数の端子の配列方向は、前記第２の二次側外部端子群における複数の端子の配列方向と平行でない請求項１に記載のトランス部品。
【請求項３】
前記第１の二次側外部端子群における複数の端子の配列方向は、前記第２の二次側外部端子群における複数の端子の配列方向と直角である請求項２に記載のトランス部品。
【請求項４】
前記第１の二次側外部端子群は、前記筐体の第１面における第１辺に沿って配列され、
前記第２の二次側外部端子群は、前記第１面における前記第１辺に隣り合う第２辺に沿って配列される
請求項２または３に記載のトランス部品。
【請求項５】
前記一次側外部端子群は、前記第１面における前記第１辺に対向する第３辺に沿って配列される請求項４に記載のトランス部品。
【請求項６】
前記第１の二次側外部端子群は、前記第１辺における前記第２辺から離れた側に偏って配列され、
前記第２の二次側外部端子群は、前記第２辺における前記第１辺に近い側に偏って配列される
請求項４または５に記載のトランス部品。
【請求項７】
前記第１の二次側外部端子群は、前記筐体の第１面における第１辺に沿って配列され、
前記第２の二次側外部端子群は、前記第１面における前記第１辺に対向する第３辺に沿って配列される
請求項１に記載のトランス部品。
【請求項８】
前記第１辺および前記第３辺は平行である請求項７に記載のトランス部品。
【請求項９】
前記一次側外部端子群は、前記第１面における前記第１辺および前記第３辺と隣り合う第２辺に沿って配列される請求項７または８に記載のトランス部品。
【請求項１０】
前記第１の二次側外部端子群は、前記第１辺における前記第２辺から離れた側に偏って配列され、
前記第２の二次側外部端子群は、前記第３辺における前記第２辺から離れた側に偏って配列される
請求項９に記載のトランス部品。
【請求項１１】
前記第１の二次側外部端子群および前記第２の二次側外部端子群の少なくとも一方は、３つの出力端子を備えるセンタータップ式の巻線に接続される端子群であり、
３端子のうち中央の端子が、両側の２端子と比較して、前記第１面における前記３端子が沿って設けられた辺部からより離れた位置に配置される
請求項４から１０のいずれか一項に記載のトランス部品。
【請求項１２】
直列に接続された上アーム側半導体スイッチおよび下アーム側半導体スイッチを駆動する駆動装置であって、
請求項１から１１のいずれか一項に記載のトランス部品と、
前記トランス部品における前記第１の二次側外部端子群および前記第２の二次側外部端子群の一方から電力を受け取って、前記上アーム側半導体スイッチを駆動する上アーム側駆動回路と、
前記トランス部品における前記第１の二次側外部端子群および前記第２の二次側外部端子群の他方から電力を受け取って、前記下アーム側半導体スイッチを駆動する下アーム側駆動回路と
を備える駆動装置。
【請求項１３】
前記トランス部品の前記第１の二次側外部端子群に電気的に接続された第１コモンモードフィルタと、
前記トランス部品の前記第２の二次側外部端子群に電気的に接続された第２コモンモードフィルタと
を更に備える請求項１２に記載の駆動装置。
【発明の詳細な説明】
【技術分野】
【０００１】
本発明は、トランス部品および駆動装置に関する。
【背景技術】
【０００２】
従来、電力変換装置等に用いる半導体素子の駆動回路においては、トランスを介して信号を伝達して、ＩＧＢＴ等の半導体スイッチング素子をオン／オフ制御し、モータ等の負荷に電力を供給していた（例えば、特許文献１および２参照）。非特許文献１には、２チャンネルのＩＧＢＴドライバが記載されている。
特許文献１  特開昭６３−１１７６５７号公報
特許文献２  特開２０１３−７４７２９号公報
非特許文献１  "Ａｐｐｌｉｃａｔｉｏｎ  ｎｏｔｅ，  Ｖ１．１，  ＡＮ２００７−０５，  Ｅｖａｌｕａｔｉｏｎ  Ｂｏａｒｄ  ｆｏｒ  ２ＥＤ３００Ｃ１７−Ｓ／−ＳＴ，  ＩＧＢＴ  ｄｒｉｖｅｒ，"  Ｉｎｆｉｎｅｏｎ  Ｔｅｃｈｎｏｌｏｇｉｅｓ  ＡＧ，  Ｆｅｂｒｕａｒｙ  ２００８
【発明の概要】
【発明が解決しようとする課題】
【０００３】
電力変換装置等における駆動回路においては、上下アーム等のように２つ以上のアーム用の回路がそれぞれトランスに接続され、それぞれ半導体素子を駆動する。ここで、トランスに接続された上アームの配線と下アームの配線とを流れる信号または電流が互いに干渉して、一方のアームの半導体素子がオンしたときに他方のアームの半導体素子が影響を受けないように、ノイズ対策を強化することが望まれる。
【課題を解決するための手段】
【０００４】
本発明の第１の態様においては、トランスを搭載する筐体と、トランスの一次巻線２１１に電気的に接続される一次側外部端子群と、トランスの第１の二次巻線に接続される第１の二次側外部端子群と、トランスの第２の二次巻線に接続される第２の二次側外部端子群と、を備え、第２の二次側外部端子群は、第１の二次側外部端子群に対し、端子からの配線の引出方向が同方向とならない配列で配置されるトランス部品が提供される。
【０００５】
本発明の第２の態様においては、直列に接続された上アーム側半導体スイッチおよび下アーム側半導体スイッチを駆動する駆動装置であって、第１の態様のトランス部品と、トランス部品における第１の二次側外部端子群および第２の二次側外部端子群の一方から電力を受け取って、上アーム側半導体スイッチを駆動する上アーム側駆動回路と、トランス部品における第１の二次側外部端子群および第２の二次側外部端子群の他方から電力を受け取って、下アーム側半導体スイッチを駆動する下アーム側駆動回路とを備える駆動装置が提供される。
【０００６】
上記の発明の概要は、本発明の特徴の全てを列挙したものではない。これらの特徴群のサブコンビネーションも発明となりうる。
【図面の簡単な説明】
【０００７】
【図１】本実施形態に係る駆動装置の構成例を示す。
【図２】本実施形態におけるトランス部品の第１の構成例を示す。
【図３】第１の構成例のトランス部品における端子からの配線の引出方向と、配線に流れる電流とを示す説明図である。
【図４】比較例のトランス部品の構成例を示す。
【図５】比較例のトランス部品における端子からの配線の引出方向と、配線に流れる電流とを示す説明図である。
【図６】本実施形態におけるトランス部品の第２の構成例を示す。
【図７】第２の構成例のトランス部品における端子からの配線の引出方向と、配線に流れる電流とを示す説明図である。
【図８】本実施形態におけるトランス部品の第３の構成例を示す。
【図９】本実施形態におけるトランス部品の第４の構成例を示す。
【図１０】本実施形態におけるトランス部品の第５の構成例を示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る駆動装置の構成例を示す。図２は、本実施形態におけるトランス部品２００の第１の構成例を示す。
【００１０】
駆動装置１００は、電源１１０と、第１コンデンサ１２０と、第１スイッチ１４０と、制御回路１３０と、上アーム電源１５０と、下アーム電源１６０と、トランス部品２００とを備える。電源１１０と、第１コンデンサ１２０と、第１スイッチ１４０と、制御回路１３０とは、トランス部品２００の一次側（低圧側）に接続される。上アーム電源１５０と、下アーム電源１６０とは、トランス部品２００の二次側（高圧側）に接続される。
【００１１】
電源１１０は、例えば直流電源であり、トランス部品２００の一次巻線２１１と、第１スイッチ１４０とに接続される。第１コンデンサ１２０は、電源１１０に並列に接続され、電源１１０から流れる電流を安定させる。
【００１２】
第１スイッチ１４０は、電源１１０と、トランス部品２００の一次巻線２１１と、制御回路１３０とに接続される。第１スイッチ１４０は、例えばＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）またはＩＧＢＴ（Ｉｎｓｕｌａｔｅｄ  Ｇａｔｅ  Ｂｉｐｏｌａｒ  Ｔｒａｎｓｉｓｔｏｒ）である。例えば第１スイッチ１４０がＩＧＢＴである場合、第１スイッチ１４０は、電源１１０の正側端子および負側端子の間に並列に接続され、コレクタ端子およびエミッタ端子間がトランス部品２００の一次巻線２１１と直列に接続され、ゲート端子が制御回路１３０に接続される。制御回路１３０は、第１スイッチ１４０のゲート端子にゲート電圧を印加し、第１スイッチ１４０をオンまたはオフとするように制御し、トランス部品２００の一次巻線２１１に交流電圧を印加する。
【００１３】
上アーム電源１５０は、第１コモンモードフィルタ１５１と、第２コンデンサ１５２と、第３コンデンサ１５３と、上アーム側信号源１５４と、上アーム側駆動回路１５５と、上アーム側半導体スイッチ１５６とを有する。
【００１４】
第１コモンモードフィルタ１５１は、トランス部品２００の第１の二次側外部端子群２４０に電気的に接続される。第１コモンモードフィルタ１５１は、トランス部品２００と第２コンデンサ１５２および第３コンデンサ１５３との間で、トランス部品２００の第１の二次側外部端子群２４０の直近に配置されてよい。第１コモンモードフィルタ１５１は、上アーム側半導体スイッチ１５６のスイッチング動作により生じるスイッチングノイズおよびコモンモードノイズを除去することができる。第１コモンモードフィルタ１５１は、一例として、磁性体材料のコアに第１の二次側外部端子群２４０に接続される複数の配線を同方向に巻くことによって構成されたものである。
【００１５】
第２コンデンサ１５２は、一端がトランス部品２００の第１の二次側外部端子群２４０の高電位側の端子と上アーム側駆動回路１５５との間に接続され、他端が第３コンデンサ１５３と直列に接続される。第２コンデンサ１５２は、トランス部品２００からの電流により充電され、上アーム側駆動回路１５５に正側電圧を供給する。第３コンデンサ１５３は、一端が第１の二次側外部端子群２４０の低電位側の端子と上アーム側駆動回路１５５との間に接続され、他端が第２コンデンサ１５２と直列に接続される。第３コンデンサ１５３は、上アーム側駆動回路１５５に負側電圧を供給する。
【００１６】
上アーム側信号源１５４は、上アーム側駆動回路１５５に接続され、所定の周波数またはタイミングでパルス信号を生成して、上アーム側駆動回路１５５に出力する。上アーム側駆動回路１５５は、トランス部品２００と、上アーム側半導体スイッチ１５６のゲート端子とに接続される。上アーム側駆動回路１５５は、上アーム側信号源１５４からのパルス信号に応じて、第２コンデンサ１５２の正側電圧を上アーム側半導体スイッチ１５６のゲート端子に出力する。
【００１７】
上アーム側半導体スイッチ１５６は、エミッタ端子が、トランス部品２００の第１の二次側外部端子群２４０の中間の端子に接続される。上アーム側半導体スイッチ１５６は、コレクタ端子およびエミッタ端子間が高電位側端子１８０および出力端子１８２の間に接続され、ゲート端子が上アーム側駆動回路１５５の出力に接続される。上アーム側半導体スイッチ１５６は、下アーム側半導体スイッチ１６６と直列に接続される。上アーム側半導体スイッチ１５６は、上アーム側駆動回路１５５によりゲート端子に印加されるゲート電圧に応じてオンまたはオフに制御され、オン状態の場合に高電位側端子１８０からの電圧または電流が出力端子１８２に出力される。上アーム側半導体スイッチ１５６は、例えば、ＭＯＳＦＥＴ（ＳｉＣ−ＭＯＳＦＥＴ等）またはＩＧＢＴ（ＲＣ−ＩＧＢＴ等）である。
【００１８】
下アーム電源１６０は、第２コモンモードフィルタ１６１と、第４コンデンサ１６２と、第５コンデンサ１６３と、下アーム側信号源１６４と、下アーム側駆動回路１６５と、下アーム側半導体スイッチ１６６とを有する。
【００１９】
第２コモンモードフィルタ１６１は、トランス部品２００の第２の二次側外部端子群２５０に電気的に接続される。第２コモンモードフィルタ１６１は、トランス部品２００と第４コンデンサ１６２、第５コンデンサ１６３との間で、トランス部品２００の第２の二次側外部端子群２５０の直近に配置されてよい。第２コモンモードフィルタ１６１は、下アーム側半導体スイッチ１６６のスイッチング動作により生じるスイッチングノイズおよびコモンモードノイズを除去することができる。第２コモンモードフィルタ１６１は、一例として、磁性体材料のコアに第２の二次側外部端子群２５０に接続される複数の配線を同方向に巻くことによって構成されたものである。
【００２０】
第４コンデンサ１６２は、一端がトランス部品２００の第２の二次側外部端子群２５０の高電位側の端子と下アーム側駆動回路１６５との間に接続され、他端が第５コンデンサ１６３と直列に接続される。第４コンデンサ１６２は、トランス部品２００からの電流により充電され、下アーム側駆動回路１６５に正側電圧を供給する。第５コンデンサ１６３は、一端が第２の二次側外部端子群２５０の低電位側の端子と下アーム側駆動回路１６５の間に接続され、他端が第４コンデンサ１６２と直列に接続される。第５コンデンサ１６３は、下アーム側駆動回路１６５に負側電圧を供給する。
【００２１】
下アーム側信号源１６４は、下アーム側駆動回路１６５に接続され、所定の周波数またはタイミングでパルス信号を生成して、下アーム側駆動回路１６５に出力する。下アーム側駆動回路１６５は、トランス部品２００と、下アーム側半導体スイッチ１６６のゲート端子とに接続される。下アーム側駆動回路１６５は、下アーム側信号源１６４からのパルス信号に応じて、第４コンデンサ１６２の正側電圧を下アーム側半導体スイッチ１６６のゲート端子に出力する。
【００２２】
下アーム側半導体スイッチ１６６は、エミッタ端子が、トランス部品２００の第２の二次側外部端子群２５０の中間の端子に接続される。下アーム側半導体スイッチ１６６は、コレクタ端子およびエミッタ端子間が低電位側端子１８１と出力端子１８２の間に接続され、ゲート端子が下アーム側駆動回路１６５の出力に接続される。下アーム側半導体スイッチ１６６は、下アーム側駆動回路１６５によりゲート端子に印加されるゲート電圧に応じてオンまたはオフに制御され、オン状態の場合に低電位側端子１８１からの電圧または電流が出力端子１８２に出力される。下アーム側半導体スイッチ１６６は、例えば、ＭＯＳＦＥＴ（ＳｉＣ−ＭＯＳＦＥＴ等）またはＩＧＢＴ（ＲＣ−ＩＧＢＴ等）である。
【００２３】
トランス部品２００は、一次側の電源１１０からの信号または電力を、二次側の上アーム電源１５０および下アーム電源１６０に伝達する。トランス部品２００は、トランス２１０と、筐体２２０と、一次側外部端子群２３０と、第１の二次側外部端子群２４０と、第２の二次側外部端子群２５０とを有する。
【００２４】
トランス２１０は、一次巻線２１１と、第１の二次巻線２１２と、第２の二次巻線２１３と、コア２１４とを有する。トランス２１０は、筐体２２０内に搭載され、電磁誘導により、一次巻線２１１と、第１の二次巻線２１２および第２の二次巻線２１３との間で信号または電力を伝達する。
【００２５】
一次巻線２１１は、一次側の電源１１０と制御回路１３０とに接続され、制御回路１３０のスイッチング動作によって電源１１０からの電流が流れる。第１の二次巻線２１２は、二次側の上アーム電源１５０に接続され、一次巻線２１１に電流が流れることに応じて電磁誘導により電流が生じる。第２の二次巻線２１３は、二次側の下アーム電源１６０に接続され、一次巻線２１１に電流が流れることに応じて電磁誘導により電流が生じる。コア２１４は、一次巻線２１１と、第１の二次巻線２１２および第２の二次巻線２１３との間に配置され、トランス２１０の一次側から二次側へのノイズの移行を低減する。
【００２６】
筐体２２０は、トランス２１０を内部に搭載し、例えば６つの矩形の面からなる直方体または立方体である。筐体２２０は、例えば接続される基板側の面に、トランス２１０と接続された一次側外部端子群２３０と、第１の二次側外部端子群２４０と、第２の二次側外部端子群２５０とが配置される。
【００２７】
一次側外部端子群２３０は、電源１１０からの配線が接続される複数の端子を有し、トランス２１０の一次巻線２１１に電気的に接続される。一次側外部端子群２３０は、少なくとも２つの端子を含む。
【００２８】
第１の二次側外部端子群２４０は、上アーム電源１５０の複数の配線２４１が接続される複数の端子を有し、トランス２１０の第１の二次巻線２１２に接続される。第１の二次側外部端子群２４０は、少なくとも３つの端子を含み、例えばセンタータップ式の巻線に接続される端子群である。
【００２９】
第２の二次側外部端子群２５０は、下アーム電源１６０の複数の配線２５１が接続される複数の端子を有し、トランス２１０の第２の二次巻線２１３に接続される。第２の二次側外部端子群２５０は、少なくとも３つの端子を含み、例えばセンタータップ式の巻線に接続される端子群である。
【００３０】
ここで、第２の二次側外部端子群２５０は、第１の二次側外部端子群２４０に対し、端子からの配線の引出方向が同方向とならない配列で配置される。このような配線の引出方向は、第１の二次側外部端子群２４０における複数の端子の配置と第２の二次側外部端子群２５０における複数の端子の配置によって調節されてよい。例えば、第１の二次側外部端子群２４０における複数の端子の配列方向ａは、第２の二次側外部端子群２５０における複数の端子の配列方向ｂと平行ではなく、配列方向ａおよびｂ同士がなす角度ｘは０°＜ｘ≦１８０°である。好ましくは、図２に示すように、第１の二次側外部端子群２４０における複数の端子の配列方向ａは、第２の二次側外部端子群２５０における複数の端子の配列方向ｂと直角である。これにより、第２の二次側外部端子群２５０の端子からの配線２５１は、第１の二次側外部端子群２４０の端子からの配線２４１に対し、引出方向が直角にされることができる。
【００３１】
なお、配列方向ａまたはｂは、第１の二次側外部端子群２４０または第２の二次側外部端子群２５０の複数の端子のうちの少なくとも２つを結ぶ線により規定されてよく、例えば、複数の端子のうちの両端の端子同士を結ぶ線によって規定される。
【００３２】
また、第１の二次側外部端子群２４０は、筐体２２０の第１面における第１辺（図２中の右辺）に沿って配列され、第２の二次側外部端子群２５０は、第１面における第１辺に隣り合う第２辺（図２中の下辺）に沿って配列されてよい。ここで、第１の二次側外部端子群２４０は、第１辺における第２辺から離れた側に偏って配列され、第２の二次側外部端子群２５０は、第２辺における第１辺に近い側に偏って配列される。一方、一次側外部端子群２３０は、第１面における第１辺に対向する第３辺（図２中の左辺）に沿って配列される。このような配置により、複数の外部端子群の間の距離がより離れるため、端子に接続される配線間の干渉をより低減し、また、配線の接続が容易となる。
【００３３】
図３は、第１の構成例のトランス部品２００における端子からの配線の引出方向と、配線に流れる電流とを示す説明図である。第１の二次側外部端子群２４０と第２の二次側外部端子群２５０の配置が図２のように直交すれば、第１の二次側外部端子群２４０に接続された配線２４１と第２の二次側外部端子群２５０に接続された配線２５１との磁気結合は弱くなる。従って、例えば第１の二次側外部端子群２４０から配線２４１に電流が流れた場合も、第２の二次側外部端子群２５０に接続された配線２５１は影響を受けにくく、当該磁気結合による電流を大幅に抑えることができる。
【００３４】
以上のような本実施形態の駆動装置１００において、上アーム側駆動回路１５５は、トランス部品２００の第１の二次側外部端子群２４０から電力を受け取って、上アーム側半導体スイッチ１５６を駆動する。一方、下アーム側駆動回路１６５は、トランス部品２００の第２の二次側外部端子群２５０から電力を受け取って、下アーム側半導体スイッチ１６６を駆動する。本実施形態の駆動装置１００は、このようなスイッチングにより、出力端子１８２から電流を出力して、モータ等の負荷に電力を供給する。本実施形態の駆動装置１００は、トランス部品２００に接続される、上下アーム電源同士の配線の干渉が小さいため、上アーム側半導体スイッチ１５６および下アーム側半導体スイッチ１６６の誤作動を防止できる。
【００３５】
図４は、比較例のトランス部品４００の構成例を示す。比較例のトランス部品４００において、図２に示された第１の構成例のトランス部品２００の構成と略同一の構成については説明を省略する。
【００３６】
第１の構成例のトランス部品２００とは異なり、比較例のトランス部品４００の第２の二次側外部端子群２５０は、第１の二次側外部端子群２４０に対し、端子からの配線の引出方向が同方向となる配列で配置される。
【００３７】
図５は、比較例のトランス部品４００における端子からの配線の引出方向と、配線に流れる電流とを示す説明図である。第１の二次側外部端子群２４０と第２の二次側外部端子群２５０の配置が図４の配置である場合、第１の二次側外部端子群２４０に接続された配線２４１と第２の二次側外部端子群２５０に接続された配線２５１との磁気結合は強くなる。従って、例えば第１の二次側外部端子群２４０から配線２４１に電流が流れた場合、第２の二次側外部端子群２５０に接続された配線２５１は、当該磁気結合による影響を受けて、意図しないタイミングで多少の電流が流れてしまう。このため、比較例のトランス部品４００を駆動装置１００に用いた場合、上アーム側半導体スイッチ１５６および下アーム側半導体スイッチ１６６の誤作動が生じるおそれがある。
【００３８】
次に、第２の構成例のトランス部品２００について図６を参照して説明する。図６は、本実施形態におけるトランス部品２００の第２の構成例を示す。第２の構成例のトランス部品２００において、図２に示された第１の構成例のトランス部品２００の構成と略同一の構成には同一の符号を付け、説明を省略する。第２の構成例のトランス部品２００は、第１の構成例のトランス部品２００とは、第１の二次側外部端子群２４０の端子の配列方向が異なる。
【００３９】
第２の構成例のトランス部品２００において、第１の二次側外部端子群２４０は、筐体２２０の第１面における第１辺（図６中の上辺）に沿って配列され、第２の二次側外部端子群２５０は、第１面における第１辺に対向する第３辺（図６中の下辺）に沿って配列される。ここで、図６に示すように、第１面の第１辺および第３辺は平行である。これにより、第１の二次側外部端子群２４０における複数の端子の配列方向ａと、第２の二次側外部端子群２５０における複数の端子の配列方向ｂとがなす角度ｘは１８０°となる。また、第１の二次側外部端子群２４０は、第１辺における第２辺から離れた側に偏って配列され、第２の二次側外部端子群２５０は、第３辺における第２辺から離れた側に偏って配列される。一方、一次側外部端子群２３０は、第１面における第１辺および第３辺と隣り合う第２辺（図６中の左辺）に沿って配列される。
【００４０】
図７は、第２の構成例のトランス部品２００における端子からの配線の引出方向と、配線に流れる電流とを示す説明図である。第１の二次側外部端子群２４０と第２の二次側外部端子群２５０の配置が図６の配置であれば、第１の二次側外部端子群２４０に接続された配線２４１と第２の二次側外部端子群２５０に接続された配線２５１との磁気結合は弱くなる。従って、図７に示すように、例えば第１の二次側外部端子群２４０から配線２４１に電流が流れた場合も、第２の二次側外部端子群２５０に接続された配線２５１は、影響を受けにくく、当該磁気結合による電流は流れにくい。これにより、第２の構成例のトランス部品２００を駆動装置１００に用いた場合、上アーム側半導体スイッチ１５６および下アーム側半導体スイッチ１６６の誤作動を大幅に抑えることができる。
【００４１】
次に、第３−５の構成例のトランス部品２００について図８−１０を参照して説明する。図８−１０は、本実施形態におけるトランス部品２００の第３−５の構成例を示す。第３−５の構成例のトランス部品２００において、図２に示された第１の構成例のトランス部品２００の構成と略同一の構成には同一の符号を付け、説明を省略する。
【００４２】
まず、図８に示す第３の構成例のトランス部品２００について説明する。第３の構成例のトランス部品２００は、第２の構成例のトランス部品２００と同様の構成であり、ただし、第１の二次側外部端子群２４０の端子の配置が異なる。第３の構成例のトランス部品２００において、第１の二次側外部端子群２４０の３端子８００、８１０，および８２０のうち中央の端子８００が、両側の２つの端子８１０および端子８２０と比較して、第１面における当該３端子８００、８１０，および８２０が沿って設けられた辺部からより離れた位置に配置される。
【００４３】
なお、トランス部品２００において、第１の二次側外部端子群２４０の端子は直線上に配置され、第２の二次側外部端子群２５０の３端子のうち中央の端子が、両側の２端子と比較して、第１面における当該３端子が沿って設けられた辺部からより離れた位置に配置されてもよい。
【００４４】
このように、いずれかの端子を他の端子と比較して辺部からより離れた位置に配置（例えば３角形状に配置）することで、端子間の距離をより離すことができるため、端子とトランス２１０間の接続や端子と配線間の接続が容易になる。
【００４５】
次に、図９に示す第４の構成例のトランス部品２００について説明する。第４の構成例のトランス部品２００は、第２の構成例のトランス部品２００と同様の構成であり、ただし、第１の二次側外部端子群２４０および第２の二次側外部端子群２５０の端子の配置が異なる。第４の構成例のトランス部品２００において、第１の二次側外部端子群２４０の３端子９００，９１０，および９２０のうち中央の端子９００が、両側の端子９１０および端子９２０と比較して、第１面における当該３端子９００，９１０，および９２０が沿って設けられた辺部からより離れた位置に配置される。さらに、第２の二次側外部端子群２５０の３端子９３０，９４０，および９５０のうち中央の端子９３０が、両側の端子９４０および端子９５０と比較して、第１面における当該３端子９３０，９４０，および９５０が沿って設けられた辺部からより離れた位置に配置される。
【００４６】
次に、図１０に示す第５の構成例のトランス部品２００について説明する。第５の構成例のトランス部品２００は、第１の構成例のトランス部品２００と同様の構成であり、ただし、第２の二次側外部端子群２５０の端子の配置が異なる。第５の構成例のトランス部品２００において、第２の二次側外部端子群２５０の３端子１０００，１０１０，および１０２０のうち中央の端子１０００が、両側の端子１０１０および端子１０２０と比較して、第１面における当該３端子１０００，１０１０，および１０２０が沿って設けられた辺部からより離れた位置に配置される。
【００４７】
なお、第５の構成例のトランス部品２００において、第２の二次側外部端子群２５０の端子は直線上に配置され、第１の二次側外部端子群２４０の３端子のうち中央の端子が、両側の２端子と比較して、第１面における当該３端子が沿って設けられた辺部からより離れた位置に配置されてもよい。また、第５の構成例のトランス部品２００において、第１の二次側外部端子群２４０および第２の二次側外部端子群２５０のそれぞれの３端子のうち中央の端子が、両側の２端子と比較して、第１面における当該３端子が沿って設けられた辺部からより離れた位置に配置されてもよい。
【００４８】
なお、第３−５の構成例のトランス部品２００は、第１の二次側外部端子群２４０および／または第２の二次側外部端子群２５０の複数の端子のうちの少なくとも１つの端子（例えば両端の２つの端子）が他の端子と比較して辺部からより離れた位置に配置されてもよい。
【００４９】
以上のようなトランス部品２００は、第１の二次側外部端子群２４０に接続される配線と、第２の二次側外部端子群２５０に接続される配線との間の干渉を低減して、駆動装置１００のスイッチの誤作動を大幅に抑えることができる。
【００５０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００５１】
１００  駆動装置、１１０  電源、１２０  第１コンデンサ、１３０  制御回路、１４０  第１スイッチ、１５０  上アーム電源、１５１  第１コモンモードフィルタ、１５２  第２コンデンサ、１５３  第３コンデンサ、１５４  上アーム側信号源、１５５  上アーム側駆動回路、１５６  上アーム側半導体スイッチ、１６０  下アーム電源、１６１  第２コモンモードフィルタ、１６２  第４コンデンサ、１６３  第５コンデンサ、１６４  下アーム側信号源、１６５  下アーム側駆動回路、１６６  下アーム側半導体スイッチ、１８０  高電位側端子、１８１  低電位側端子、１８２  出力端子、２００  トランス部品、２１０  トランス、２１１  一次巻線、２１２  第１の二次巻線、２１３  第２の二次巻線、２１４  コア、２２０  筐体、２３０  一次側外部端子群、２４０  第１の二次側外部端子群、２４１  配線、２５０  第２の二次側外部端子群、２５１  配線、８００  端子、８１０  端子、８２０  端子、９００  端子、９１０  端子、９２０  端子、９３０  端子、９４０  端子、９５０  端子、１０００  端子、１０１０  端子、１０２０  端子
【図１】
2018181920.tif 000003
【図２】
2018181920.tif 000004
【図３】
2018181920.tif 000005
【図４】
2018181920.tif 000006
【図５】
2018181920.tif 000007
【図６】
2018181920.tif 000008
【図７】
2018181920.tif 000009
【図８】
2018181920.tif 000010
【図９】
2018181920.tif 000011
【図１０】
2018181920.tif 000012